(57)【要約】      （修正有）【課題】ぶら下がり健康器にハンガー掛け、物干し竿、物置台等の他の用途を持たせる。【解決手段】床に接する基礎脚（１）と、この基礎脚から立ち上がる少なくとも２本の支柱（２）と、これらの支柱で支持された握り棒（３）からなるぶら下がり健康器である。前記基礎脚及び握り棒以外の箇所に、少なくとも１本の水平棒（４）及び／又は水平棚（５）を設けている。前記水平棚（５）は、例えば複数の水平棒（５２）からなり、水平状態と起立状態の間で９０°の旋回が可能である。【選択図】図１
0003125356.tif 000002
【実用新案登録請求の範囲】
【請求項１】
床に接する基礎脚（１，１Ａ，１Ｂ）と、この基礎脚から立ち上がる少なくとも２本の支柱（２，２Ａ，２Ｂ）と、これらの支柱で支持された握り棒（３，３Ａ，３Ｂ）からなるぶら下がり健康器であって、前記基礎脚及び握り棒以外の箇所に、少なくとも１本の水平棒（４，４Ｂ，８，９）を設けたことを特徴とするぶら下がり健康器。
【請求項２】
前記水平棒（４，４Ｂ）が前記支柱（２，２Ｂ）から直接水平方向に延びている請求項１記載のぶら下がり健康器。
【請求項３】
前記水平棒（８，９）が、前記握り棒（３Ａ）の下に段違い平行棒のように水平方向に延びた別の棒である請求項１記載のぶら下がり健康器。
【請求項４】
床に接する基礎脚（１，１Ａ，１Ｂ）と、この基礎脚から立ち上がる少なくとも２本の支柱（２，２Ａ，２Ｂ）と、これらの支柱で支持された握り棒（３，３Ａ，３Ｂ）からなるぶら下がり健康器であって、前記基礎脚以外の箇所に、少なくとも１つの水平棚（５，１２）を設けたことを特徴とするぶら下がり健康器。
【請求項５】
前記水平棚（５）が複数の水平棒（５２）からなる請求項４記載のぶら下がり健康器。
【請求項６】
前記水平棚（５）が水平状態と起立状態の間で９０°の旋回が可能である請求項４又は５記載のぶら下がり健康器。
【請求項７】
請求項１記載の水平棒（４）と、請求項４記載の水平棚（５）を併用して設けたぶら下がり健康器。
【考案の詳細な説明】
【技術分野】
【０００１】
本考案は、多目的なぶら下がり健康器に関する。
【背景技術】
【０００２】
ぶら下がり健康器は、握り棒を握ってぶら下がるだけで、背骨が矯正されるので、姿勢が美しくなり、血行や代謝の促進にもつながるといわれている。しかし、多くの購入者はすぐにぶら下がりに飽きてしまうため、やがて物置に収納されっぱなしになったり、物干し竿代わりになってしまったりすることが多いようである。
【０００３】
この問題を解決するため、ぶら下がり健康器に予め他の用途を持たせる提案が行われている。例えば、下記特許文献１では、ぶら下がり健康器に物干し竿支持具を兼用させている。
【特許文献１】登録実用新案第３０７８５８５号
【考案の開示】
【考案が解決しようとする課題】
【０００４】
本考案も、この特許文献１と同様に、ぶら下がり健康器に他の用途を持たせようというものである。そうすることにより、ぶら下がりに飽きてしまったときでも、他の用途に使用できるため、邪魔にならないので、物置に収納されることもなくなる。また、いつも目にしていれば、飽きやすい人でも自然にやってみようという気持ちを起こさせることができ、一石二鳥にもそれ以上にもなりうる。
【課題を解決するための手段】
【０００５】
本考案は、第一の観点では、床に接する基礎脚と、この基礎脚から立ち上がる少なくとも２本の支柱と、これらの支柱で支持された握り棒からなるぶら下がり健康器であって、前記基礎脚及び握り棒以外の箇所に、少なくとも１本の水平棒を設けたことを特徴とするぶら下がり健康器である。
【０００６】
第二の観点では、本考案は、床に接する基礎脚と、この基礎脚から立ち上がる少なくとも２本の支柱と、これらの支柱で支持された握り棒からなるぶら下がり健康器であって、前記基礎脚以外の箇所に、少なくとも１つの水平棚を設けたことを特徴とするぶら下がり健康器である。
【考案の効果】
【０００７】
第一の観点によるぶら下がり健康器では、床に接する基礎脚及び本来の握り棒以外の箇所に、少なくとも１本の水平棒を設けているので、この水平棒をハンガー掛けや物干しなどとして使用することができる。
【０００８】
第二の観点によるぶら下がり健康器では、床に接する基礎脚以外の箇所に、少なくとも１カ所水平棚を設けているので、この棚を物置台として使用することができる。
【考案を実施するための最良の形態】
【０００９】
水平棒を形成するには例えば次のようなやり方がある。
・  支柱から直接水平方向に延ばす。
・  本来の握り棒のやや下に段違い平行棒のように別の棒を水平方向に延ばす。
水平棒は１本でもよいが、短いものなら複数本設けることが好ましい。
【００１０】
水平棚を形成するには例えば次のようなやり方がある。
・  支柱から直接水平方向に延ばす。
・  元の支柱とは別の支柱を設け、元の支柱と新しい支柱の間に棚を設定する。
水平棚は１つでもよいが、出来れば複数設けることが好ましい。
【００１１】
水平棚は、例えば複数の水平棒からなるものとすることができる。そのようにすることにより、例えば多数のタオルを掛けることができる。また、水平状態と起立状態の間で９０°の旋回が可能であるようにすることもできる。そのようにすることにより、水平棚が邪魔になるときに立てておくことができる。
【００１２】
水平棒と水平棚は、それぞれ単独で設けることもできるが、場所さえあれば、併用させることが好ましい。
【実施例１】
【００１３】
図１は、本考案の第１実施例に係るぶら下がり健康器の斜視図である。
【００１４】
この図に示すように、水平方向に延びる「工」字型の基礎脚１の上に２本の支柱２が立ち上がり、頂部に握り棒３が取り付けられている。握り棒３の高さは、支柱パイプを入れ子式にすることにより、調節可能である。
【００１５】
本実施例では、２本の支柱２のそれぞれ中間部に、２本の短棒４１からなる水平棒４が取り付けられている。これらの短棒４１は短いパイプ４２に溶接されていて、このパイプが支柱２にはめ込まれているので、パイプごと短棒４１は回転可能である。短棒４１の先端には、危険防止のため丸玉４２がはめ込まれている。この水平棒４は、ハンガー掛けや物干し竿として使用することができる。
【００１６】
また、支柱２のやや下方に複数の水平棒５１からなる水平棚５が設けられている。この水平棚５は、本来の支柱２と、別に設けた第２の支柱６によって支持されている。第２の支柱６は、本来の支柱２と、基礎脚１の間を「Ｌ」字型に接続しており、使用者がぶら下がりを行うときの手すりとして使用される。
【００１７】
さらに、この水平棚５は、使用しないときには９０°旋回して起立させられるように水平棚５の両脇が長さ調節可能なチェーン５２により支持されている。
【００１８】
この水平棚５は、物置台として使用することができる。例えば、タオルを掛けたり、折りたたまれた衣服や新聞・雑誌などを置いたりすることができる。
【実施例２】
【００１９】
図２は、本考案の第２実施例に係るぶら下がり健康器の斜視図である。
【００２０】
この図に示すように、水平方向に延びる「工」字型の基礎脚１Ａの上に２本の支柱２Ａが立ち上がり、頂部に握り棒３Ａが取り付けられている。握り棒３Ａの高さは、支柱パイプを入れ子式にすることにより、調節可能である。
【００２１】
本実施例では、２本の支柱２Ａのそれぞれに補助支柱７が設けられていて、この補助支柱７から、短い水平部７１を介して、水平棒８が取り付けられている。この水平棒８も、入り子式になっていて、長さ調節が可能である。
【００２２】
本実施例ではさらに第二の水平棒９が下方に設けられている。この棚は、本来の支柱２Ａと、別に設けた第２の支柱１０によって支持されている。第２の水平棒９は、本来の支柱２Ａと、基礎脚１Ａの間を「Ｔ」字型に接続している。
【００２３】
これらの水平棒８，９は、ハンガー掛けや物干し竿として使用することができる。
【実施例３】
【００２４】
図３は、本考案の第３実施例に係るぶら下がり健康器の斜視図である。
【００２５】
この図に示すように、水平方向に延びる「工」字型の基礎脚１Ｂの上に２本の支柱２Ｂが立ち上がり、頂部に握り棒３Ｂが取り付けられている。握り棒３Ｂの高さは、支柱パイプを入れ子式にすることにより、調節可能である。
【００２６】
本実施例では、短い水平棒４Ｂが支柱２Ｂから直接４本横方向に延びている。これらの水平棒４Ｂは、ハンガー掛けや物干し竿として使用することができる。
【００２７】
さらに、本実施例では、基礎脚１Ｂから補助支柱１１を２本起立させていて、元の支柱２Ｂとの間で平行棚１２を８つ設定している。これらの水平棚１２は、物置台として使用することができる。例えば、折りたたまれた衣服や新聞・雑誌などを置くことができる。
【図面の簡単な説明】
【００２８】
【図１】本考案の第１実施例に係るぶら下がり健康器の斜視図である。
【図２】本考案の第２実施例に係るぶら下がり健康器の斜視図である。
【図３】本考案の第３実施例に係るぶら下がり健康器の斜視図である。
【符号の説明】
【００２９】
１，１Ａ，１Ｂ       基礎脚
２，２Ａ，２Ｂ       支柱
３，３Ａ，３Ｂ       握り棒
４，４Ｂ      水平棒
４１   短棒
４２   パイプ
４２   丸玉
５     水平棚
５２   水平棒
６     第２の支柱
７     補助支柱
８，９ 水平棒
１０   第２の支柱
１１   補助支柱
１２   水平棚
【図１】
0003125356.tif 000003
【図２】
0003125356.tif 000004
【図３】
0003125356.tif 000005